(57)【要約】【課題】スクレイパの先端部に堆積した異物によって鋼帯の表面に擦れ疵が発生したり、鋼帯の表面光沢度が低下したりすることを防止することのできる圧延機用ワイピング装置を提供する。【解決手段】ワイピングロール２のテンションリール側に配置されたスクレイパ６を保持するスクレイパホルダ７に洗浄液スプレイ装置８が設け、この洗浄液スプレイ装置８から洗浄液を吹き付けてスクレイパ６の先端部に堆積した摩耗粉等の異物を洗浄除去するように構成する。【選択図】図１
2005224817.tif 000002
【特許請求の範囲】
【請求項１】
圧延ロール間を通過した鋼帯の表面から該表面に付着した異物を除去するワイピングロールの圧延ロール側とテンションリール側に、前記ワイピングロールの表面に付着した異物を除去するスクレイパを配置した圧延機用ワイピング装置において、
前記テンションリール側に配置されたスクレイパの先端部に堆積した異物に洗浄液を吹き付けて前記異物を洗浄除去する洗浄液スプレイ手段を備えたことを特徴とする圧延機用ワイピング装置。
【請求項２】
前記洗浄液スプレイ手段は、前記鋼帯を前記テンションリール側から圧延ロール側へ送り出すときに前記異物に洗浄液を吹き付けるように構成されていることを特徴とする請求項１記載の圧延機用ワイピング装置。
【請求項３】
前記洗浄液スプレイ手段は、前記テンションリール側に配置されたスクレイパの先端部に堆積した異物を、前記鋼帯の表面に洗浄液を吹き付けて洗浄除去するように構成されていることを特徴とする請求項１記載の圧延機用ワイピング装置。
【請求項４】
前記洗浄液は圧延油であることを特徴とする請求項１又は２記載の圧延機用ワイピング装置。
【発明の詳細な説明】
【技術分野】
【０００１】
本発明は、リバース式圧延機等で用いられる圧延機用ワイピング装置に関する
【背景技術】
【０００２】
リバース式圧延機では、圧延ロール間を通過した鋼帯の表面に多量の圧延油が付着していると横滑り等のコイル巻き不良を発生することがあるため、圧延油等の付着物を鋼帯の表面から除去する装置として、図３に示すようなワイピング装置１が圧延ロール２の両側（入側と出側）に設けられている。このワイピング装置１は３本のワイピングロール３を備えており、これらのワイピングロール３をバックアップロール４により鋼帯Ｓの上面と下面に押し付けて圧延油等の付着物を鋼帯Ｓの表面から除去するように構成されている。
【０００３】
このようなワイピング装置では、圧延油と共に鋼帯Ｓの表面から除去された摩耗粉等の異物がワイピングロール３の表面に付着し、ワイピングロール３と鋼帯Ｓとの間に噛み込まれると、鋼帯Ｓの表面に噛み込み疵等の表面欠陥が発生する。そこで、異物の噛み込みによる表面欠陥の発生を防止するために、従来では、図３に示すように、ワイピングロール３の圧延ロール２側とテンションリール（図示せず）側にスクレイパ５，６を配置して、ワイピングロール３の表面に付着した摩耗粉等の異物を除去するようにしている。
【０００４】
また、下記の特許文献１には、ワイピングロールとスクレイパ間に堆積する異物を除去するワイピング装置及びワイピング方法が開示され、特許文献２には、ワイピングロールとデフレクタロールを有するリバース式圧延ラインにおいて、デフレクタロールの洗浄方法について開示されている。
【特許文献１】特開平１１−１５６４２３号公報
【特許文献２】特開２００３−８０３１２号公報
【発明の開示】
【発明が解決しようとする課題】
【０００５】
しかしながら、上述したワイピング装置および特許文献１及び２記載のものでは、鋼帯Ｓを図中矢印方向に走行させると、ワイピングロール３の表面から除去された摩耗粉等の異物がテンションリール側に配置されたスクレイパ６の先端部に堆積する。このため、次の工程で鋼帯Ｓを図中矢印方向と反対方向に走行させると、スクレイパ６の先端部に堆積した異物によって鋼帯Ｓの表面に擦れ疵が発生したり、鋼帯Ｓの表面光沢度が低下したりするなどの問題が生じていた。
本発明は、このような問題点に着目してなされたもので、スクレイパの先端部に堆積した異物によって鋼帯の表面に擦れ疵が発生したり、鋼帯の表面光沢度が低下したりすることを防止することのできる圧延機用ワイピング装置を提供することを目的とする。
【課題を解決するための手段】
【０００６】
上記の目的を達成するために、本発明は、圧延ロール間を通過した鋼帯の表面に該表面に付着した異物を除去するワイピングロールの圧延ロール側とテンションリール側に、前記ワイピングロールの表面に付着した異物を除去するスクレイパを配置した圧延機用ワイピング装置において、前記テンションリール側に配置されたスクレイパの先端部に堆積した異物に洗浄液を吹き付けて前記異物を洗浄除去する洗浄液スプレイ手段を備えたことを特徴とする。
【０００７】
本発明に係る圧延機用ワイピング装置において、前記洗浄液スプレイ手段は、前記鋼帯を前記テンションリール側から圧延ロール側へ送り出すときに前記異物に洗浄液を吹き付けるように構成されていることが好ましい。また、前記洗浄液スプレイ手段は、前記テンションリール側に配置されたスクレイパの先端部に堆積した異物を、前記鋼帯の表面に洗浄液を吹き付けて洗浄除去するように構成されるものであってもよい。また、前記洗浄液は圧延油であることが好ましい。
【発明の効果】
【０００８】
本発明に係る圧延機用ワイピング装置では、洗浄液スプレイ手段からの洗浄液によってスクレイパの先端部に堆積した異物を洗浄除去できるので、スクレイパの先端部に堆積した異物によって鋼帯の表面に擦れ疵が発生したり、鋼帯の表面光沢度が低下したりすることを防止することができる。
【発明を実施するための最良の形態】
【０００９】
以下、本発明の実施の形態を図面に基づいて説明する。
本発明に係る圧延機用ワイピング装置の一実施形態を図１及び図２に示す。同図において、符号７はワイピングロール３のテンションリール側に配置されたスクレイパ６を保持するスクレイパホルダであり、このスクレイパホルダ７には、スクレイパ６の先端部に堆積した摩耗粉等の異物に洗浄液を吹き付けて異物を洗浄除去する洗浄液スプレイ手段としての洗浄液スプレイ装置８が設けられている。この洗浄液スプレイ装置８は、図２に示すように、鋼帯Ｓをテンションリール側から圧延ロール側へ送り出すとき（鋼帯Ｓの走行方向が図２中矢印方向のとき）に洗浄液９を堆積異物に吹き付けるように構成されており、異物に吹き付けられる洗浄液としては、濾過済みの圧延油が使用されている。
【００１０】
上述した本発明の一実施形態では、ワイピングロール３のテンションリール側に配置されたスクレイパ６の先端部に堆積した異物に洗浄液を吹き付けて異物を洗浄除去する洗浄液スプレイ装置８を設けたことで、洗浄液スプレイ装置８からの洗浄液９によってスクレイパ６の先端部に堆積した異物を洗浄除去できるので、スクレイパ６の先端部に堆積した異物によって鋼帯Ｓの表面に擦れ疵が発生したり、鋼帯Ｓの表面光沢度が低下したりすることを防止することができる。また、洗浄液スプレイ装置８から異物に吹き付けられる洗浄液として圧延油を用いたことで、洗浄液を回収する設備を新たに設けることなくスクレイパ６の先端部に堆積した異物を洗浄除去することができる。
【００１１】
さらに、上述した実施形態では洗浄液スプレイ装置８が鋼帯Ｓをテンションリール側から圧延ロール側へ送り出すときに洗浄液９を堆積異物に吹き付けるように構成されているので、横滑り等のコイル巻き不良を発生させることなくスクレイパ６の先端部に堆積した異物を洗浄除去することができる。すなわち、鋼帯Ｓの走行方向が図２に示す矢印方向と反対方向のときにスクレイパ６の先端部に圧延油等の洗浄液を吹き付けると鋼帯Ｓの表面に多量の圧延油が付着し、横滑り等のコイル巻き不良を発生する可能性があるが、本実施形態では鋼帯Ｓの走行方向が図２に示す矢印方向のときに圧延油等の洗浄液をスクレイパ６の先端部に吹き付けているので、横滑り等のコイル巻き不良を発生させることなくスクレイパ６の先端部に堆積した異物を洗浄除去することができる。
【００１２】
なお、本発明は上述した実施形態に限定されるものではない。たとえば、上述した実施形態ではテンションリール側に配置されたスクレイパ６の先端部に堆積した異物に洗浄液を吹き付けて異物を洗浄除去するようにしたが、洗浄液スプレイ装置８から鋼帯Ｓの表面に洗浄液を吹き付け、通板方向の鋼帯表面に沿って洗浄液が流れてスクレイパ先端部の異物を洗浄除去するようにしてもよい。また、上述した実施形態では洗浄液として圧延油を使用したが、圧延油の代わりに水等を用いてもよい。また、上述した実施形態では本発明をリバース式圧延機に適用した場合を例示したが、本発明はこれに限定されるものではなく、リバース式以外の圧延機にも適用可能である。
【図面の簡単な説明】
【００１３】
【図１】本発明に係る圧延機用ワイピング装置の一実施形態を示す図である。
【図２】図１の洗浄液スプレイ装置から堆積異物にスプレイされる洗浄液のスプレイタイミングを説明するための図である。
【図３】リバース式圧延機に用いられる従来のワイピング装置の概略構成図である。
【符号の説明】
【００１４】
２  圧延ロール
３  ワイピングロール
４  バックアップロール
５  ワイピングロールの圧延ロール側に配置されたスクレイパ
６  ワイピングロールのテンションリール側に配置されたスクレイパ
７  スクレイパホルダ
８  洗浄液スプレイ装置
９  洗浄液
【図１】
2005224817.tif 000003
【図２】
2005224817.tif 000004
【図３】
2005224817.tif 000005